(57)【特許請求の範囲】
【請求項１】
料金の精算に係る媒体に情報を書き込む媒体書込ユニットを含む複数のユニットを着脱可能な接続部と、
少なくともユニット自体のハードウェアのバージョン番号またはユニットに搭載されているソフトウェアのバージョン番号を含む情報であるバージョン情報を前記接続部に装着されているユニット毎に記憶する記憶部と、
前記媒体書込ユニットに、前記記憶部に記憶されている前記バージョン情報を前記媒体へ書き出させる制御部と
を備えることを特徴とする料金装置。
【請求項２】
前記媒体書込ユニットは、通行券を発行するユニットであることを特徴とする請求項１に記載の料金装置。
【請求項３】
前記媒体書込ユニットは、領収書を発行するユニットであることを特徴とする請求項１に記載の料金装置。
【請求項４】
前記媒体書込ユニットは、ＩＣカードに料金に係る情報を書き込むユニットであることを特徴とする請求項１に記載の料金装置。
【請求項５】
前記接続部は、料金の精算に係る媒体から情報を読み出す媒体読出ユニットを着脱可能に接続し、
前記制御部は、前記バージョン情報の正当性を検証するための検証情報を前記媒体読出ユニットに読み出させ、当該検証情報を用いて前記バージョン情報の正当性を検証することを特徴とする請求項１から４のいずれか１項に記載の料金装置。
【請求項６】
前記接続部は、料金の精算に係る媒体から情報を読み出す媒体読出ユニットを着脱可能に接続し、
前記制御部は、当該料金装置に対する作業指示に関する作業指示情報を前記媒体読出ユニットに読み出させ、当該作業指示情報を所定の表示部に表示させることを特徴とする請求項１から４のいずれか１項に記載の料金装置。
【発明の詳細な説明】
【技術分野】
【０００１】
本発明は、料金装置に関する。
【背景技術】
【０００２】
高速道路の料金所には、料金を精算するための料金装置が設置される。ここでいう料金装置には、例えば、通行券を発行する通行券自動発行装置や、料金を収受するための料金自動収受装置が含まれる。料金装置には、着脱可能な複数のユニットを内蔵するものがある（例えば、特許文献１参照）。このような構成とすることにより、料金装置の一部に障害が発生した場合に、障害が発生したユニットを交換することで料金装置を迅速に復旧させることができる。
【先行技術文献】
【特許文献】
【０００３】
【特許文献１】特開２００４−５１５１号公報
【発明の概要】
【発明が解決しようとする課題】
【０００４】
料金装置に内蔵されるユニットは、機能改善や不具合対策のためにハードウェアやソフトウェア（ファームウェア）のバージョンアップが行われることがある。ユニットのバージョンが古いままで放置されると、新しいバージョンでは改修済みの不具合が発生したり、他のユニットのバージョンとの不整合による不具合が発生したりするおそれがある。
【０００５】
このため、料金装置に内蔵されるユニットのバージョンを正確に把握しておくことが重要であるが、特にネットワークに接続されていないスタンドアロンタイプの料金装置の場合、料金装置に内蔵される複数のユニットのバージョンを１つ１つ調査することは、作業を行う作業員に大きな負荷となっていた。
【０００６】
本発明は、上記に鑑みてなされたものであって、保守作業等を行う作業員の負荷を軽減することができる料金装置を提供することを目的とする。
【課題を解決するための手段】
【０００７】
上述した課題を解決し、目的を達成するために、本発明に係る料金装置は、料金の精算に係る媒体に情報を書き込む媒体書込ユニットを含む複数のユニットを着脱可能な接続部と、少なくともユニット自体のハードウェアのバージョン番号またはユニットに搭載されているソフトウェアのバージョン番号を含む情報であるバージョン情報を前記接続部に装着されているユニット毎に記憶する記憶部と、前記媒体書込ユニットに、前記記憶部に記憶されている前記バージョン情報を前記媒体へ書き出させる制御部とを備える。
【０００８】
ここで、前記媒体書込ユニットは、通行券を発行するユニットであってもよい。また、前記媒体書込ユニットは、領収書を発行するユニットであってもよい。また、前記媒体書込ユニットは、ＩＣカードに料金に係る情報を書き込むユニットであってもよい。
【０００９】
また、本発明の望ましい態様として、前記接続部は、料金の精算に係る媒体から情報を読み出す媒体読出ユニットを着脱可能に接続し、前記制御部は、前記バージョン情報の正当性を検証するための検証情報を前記媒体読出ユニットに読み出させ、当該検証情報を用いて前記バージョン情報の正当性を検証する。
【００１０】
また、本発明の望ましい態様として、前記接続部は、料金の精算に係る媒体から情報を読み出す媒体読出ユニットを着脱可能に接続し、前記制御部は、当該料金装置に対する作業指示に関する作業指示情報を前記媒体読出ユニットに読み出させ、当該作業指示情報を所定の表示部に表示させる。
【発明の効果】
【００１１】
本発明に係る料金装置は、保守作業等を行う作業員の負荷を軽減することができるという効果を奏する。
【図面の簡単な説明】
【００１２】
【図１】図１は、料金所管理システムを示す図である。
【図２】図２は、料金装置の機能的な構成を示すブロック図である。
【図３】図３は、料金装置に記憶されるバージョン情報の一例を示す図である。
【図４】図４は、バージョン検証情報の一例を示す図である。
【図５】図５は、バージョン情報出力部の動作を示すフローチャートである。
【図６】図６は、バージョン検証部の動作を示すフローチャートである。
【図７】図７は、作業指示表示部の動作を示すフローチャートである。
【発明を実施するための形態】
【００１３】
以下に、本発明に係る料金装置の実施例を図面に基づいて詳細に説明する。なお、この実施例によりこの発明が限定されるものではない。また、この実施例における構成要素には、当業者が容易に想定できるもの、実質的に同一のもの、いわゆる均等の範囲のものが含まれる。
【実施例】
【００１４】
まず、図１を参照しながら本実施例に係る料金所管理システム１について説明する。図１は、本実施例に係る料金所管理システム１を示す図である。図１に示すように、料金所管理システム１は、高速道路の料金所２に設置された料金装置１０ａ〜１０ｎ、料金装置４０および監視装置２０を含み、中央の監視センタに設置された中央監視装置３０と接続可能なものとする。料金装置１０ａ〜１０ｎおよび料金装置４０は、通行券の発行や料金の収受のために料金ゲート付近に設置される。監視装置２０は、料金所２の管理事務所等に設置され、料金装置１０ａ〜１０ｎの稼働状況等に関する情報を監視員に提供する。中央監視装置３０は、ネットワーク３を介して監視装置２０と接続され、料金装置１０ａ〜１０ｎの稼働状況等に関する情報を監視員に提供する。
【００１５】
このように、料金所管理システム１は、料金装置１０ａ〜１０ｎの稼働状況等に関する情報が管理事務所や中央の監視センタ内の監視員に対して提供されるように構成されている。しかしながら、料金装置４０は、監視装置２０および中央監視装置３０と通信可能に接続されておらず、料金装置４０の稼働状況等を知るには料金装置４０の設置場所まで出向かなければならない。
【００１６】
次に、図１に示した料金装置４０の構成について説明する。図２は、料金装置４０の機能的な構成を示すブロック図である。図２に示すように、料金装置４０は、接続部４０１と、記憶部４０２と、制御部４０３とを備える。
【００１７】
接続部４０１は、複数のユニットが着脱されるインターフェースである。図２に示す例では、接続部４０１には、カメラユニット４０４ａと、表示ユニット４０４ｂと、通行券読書ユニット４０４ｃと、ＩＣカード読書ユニット４０４ｄと、領収書発行ユニット４０４ｅと、紙幣処理ユニット４０４ｆと、硬貨処理ユニット４０４ｇと、保守ユニット４０４ｈとが接続されている。
【００１８】
カメラユニット４０４ａは、防犯等のために周囲の映像を撮像し、撮像した映像の映像データを制御部４０３へ出力する。表示ユニット４０４ｂは、液晶パネル等の表示装置を有し、制御部４０３から入力される制御信号に従って高速道路の利用客に対して料金や指示等を表示する。通行券読書ユニット４０４ｃは、磁気カード読書装置やバーコード読書装置等の媒体読取装置／媒体書出装置を有し、制御部４０３から入力される制御信号に従って媒体である通行券を読み書きする。
【００１９】
ＩＣカード読書ユニット４０４ｄは、ＩＣカードに対して読み書きを行う媒体読取装置／媒体書出装置を有し、主として料金の電子決済のために、制御部４０３から入力される制御信号に従ってＩＣカードに対して媒体読取装置／媒体書出装置で読み書きを行う。領収書発行ユニット４０４ｅは、文字等を印字する印字装置を有し、制御部４０３から入力される制御信号に従って領収書等を印字して出力する。
【００２０】
紙幣処理ユニット４０４ｆは、現金での決済のために、制御部４０３から入力される制御信号に従って紙幣の受け入れ、計数、保管、釣りの払い戻し等を行う。硬貨処理ユニット４０４ｇは、現金での決済のために、制御部４０３から入力される制御信号に従って硬貨の受け入れ、計数、保管、釣りの払い戻し等を行う。
【００２１】
保守ユニット４０４ｈは、保守点検時に作業員が情報を参照するための液晶パネル等の表示装置と、作業員が情報を入力するためのキーボード等の入力装置とを有する。すなわち、保守ユニット４０４ｈは、保守用の表示部および入力部として機能する。保守ユニット４０４ｈは、タッチパネルのように表示装置と入力装置の機能を兼ね備えた装置を有していてもよい。
【００２２】
なお、以下の説明では、接続部４０１に接続されるユニットの１つをいずれであるかを特定せずにユニット４０４と称することがある。また、図２に示した各種のユニット４０４は例であり、料金装置４０は、これら全てのユニット４０４を内蔵しなくてもよいし、他のユニット４０４を内蔵してもよい。
【００２３】
記憶部４０２は、フラッシュメモリや磁気記憶装置等の不揮発性を有する記憶装置を有し、料金装置４０を動作させるためのプログラムやデータを記憶装置に記憶させる。記憶部４０２が記憶するデータには、バージョン情報４０２ａが含まれる。バージョン情報４０２ａは、接続部４０１に接続されているユニット４０４のハードウェアおよびソフトウェアのバージョンに関する情報を保持する。
【００２４】
図３は、記憶部４０２に記憶されるバージョン情報４０２ａの一例を示す図である。図３に示すように、バージョン情報４０２ａでは、ユニット４０４の識別番号であるユニットＩＤと対応づけて、ユニット４０４毎にハードウェアのバージョン番号とソフトウェアのバージョン番号とが保持される。
【００２５】
制御部４０３は、ＣＰＵ（Central Processing Unit）等の演算装置と、プログラムやデータを展開するメモリとを有し、演算装置が実行するプログラムに従って料金装置４０の各部を制御する。例えば、制御部４０３は、カメラユニット４０４ａに映像を撮像させ、撮像された映像の映像データを記憶部４０２に記憶させる。また、制御部４０３は、通行券読書ユニット４０４ｃに通行券の内容を読み込ませ、読み込まれた内容に基づいて料金を計算し、ＩＣカード読書ユニット４０４ｄ等に料金を精算させ、領収書発行ユニット４０４ｅに領収書を発行させる。
【００２６】
制御部４０３は、各種の制御を実行するために、記憶部４０２に記憶されているプログラムをメモリに展開して実行することによって各種の機能部を実現させる。プログラムを実行することによって実現される機能部には、バージョン情報出力部４０３ａと、バージョン検証部４０３ｂと、作業指示表示部４０３ｃとが含まれる。
【００２７】
バージョン情報出力部４０３ａは、記憶部４０２に記憶されているバージョン情報４０２ａの内容を媒体に出力する。媒体に出力された情報は、例えば、監視装置２０が備えるバーコードリーダ、ＩＣカードリーダ、ＯＣＲ（Optical Character Reader）等の媒体読取装置によって読み取られ、監視装置２０が備える記憶装置、中央監視装置３０が備える記憶装置、または、その両方に保存される。そして、保存された情報は、料金装置４０に内蔵されているユニット４０４のバージョンアップの必要性の判定や、料金装置４０が故障した場合の交換部品の特定等に用いられる。
【００２８】
バージョン情報出力部４０３ａは、バージョン情報４０２ａの内容を媒体に出力するために、料金装置４０が他の用途のために備えているユニット４０４を利用する。
【００２９】
例えば、バージョン情報出力部４０３ａは、通常は通行券を発行するために用いられる通行券読書ユニット４０４ｃに、バージョン情報４０２ａの内容を媒体に出力させることができる。通行券読書ユニット４０４ｃが磁気カードの通行券を発行する装置である場合、バージョン情報出力部４０３ａは、バージョン情報４０２ａの内容が磁気的に記録された通行券を通行券読書ユニット４０４ｃに発行させる。また、通行券読書ユニット４０４ｃが通常の紙にバーコードで情報を印刷した通行券を発行する装置である場合、バージョン情報出力部４０３ａは、バージョン情報４０２ａの内容を符号化したバーコードが印刷された通行券を通行券読書ユニット４０４ｃ発行させる。なお、バーコードは、２次元バーコードであってもよい。また、バーコードをユニット４０４毎に印刷してもよい。
【００３０】
また、バージョン情報出力部４０３ａは、通常は料金の精算のためにＩＣカードの読み書きを行うＩＣカード読書ユニット４０４ｄに、バージョン情報４０２ａの内容を媒体に出力させることもできる。具体的には、バージョン情報出力部４０３ａは、ＩＣカード読書ユニット４０４ｄに、バージョン情報４０２ａの内容を作業員等が所持するＩＣカードに書き出させる。
【００３１】
また、バージョン情報出力部４０３ａは、通常は領収書を発行するために用いられる領収書発行ユニット４０４ｅに、バージョン情報４０２ａの内容を媒体に出力させることもできる。具体的には、バージョン情報出力部４０３ａは、バージョン情報４０２ａの内容をユニット４０４毎にリスト化する等してテキスト化し、テキスト化された情報が印刷された領収書を領収書発行ユニット４０４ｅに発行させる。また、バージョン情報出力部４０３ａは、バージョン情報４０２ａの内容を符号化したバーコードが印刷された領収書を領収書発行ユニット４０４ｅに発行させることもできる。
【００３２】
このように、バージョン情報出力部４０３ａは、他の装置が読み出し可能な形でバージョン情報４０２ａの内容を記録した媒体を、料金装置４０が他の用途のために備えているユニット４０４から出力させる。このため、料金装置４０に内蔵されているユニット４０４のバージョンに関する情報を調査する作業員が手書きで情報を記録する手間が省かれ、作業員の負荷が軽減される。また、作業員による誤記のおそれがないため、料金装置４０に内蔵されているユニット４０４のバージョンに関する正確な情報を取得することができる。また、ユニット４０４のバージョンに関する情報を出力するためにハードウェアが付加されないため、料金装置４０のコストダウンと信頼性の向上に寄与する。
【００３３】
バージョン検証部４０３ｂは、接続部４０１に接続されているユニット４０４のバージョンの整合性を検証する。具体的には、バージョン検証部４０３ｂは、料金装置４０が他の用途のために備えているユニット４０４からバージョン検証情報を読み出し、バージョン情報４０２ａをバージョン検証情報と照合することによって接続部４０１に接続されているユニット４０４のバージョンの整合性を検証する。バージョンの不整合があった場合、バージョン検証部４０３ｂは、保守ユニット４０４ｈにメッセージを表示してその旨を報知する。
【００３４】
バージョン検証情報は、利用されている各ユニット４０４の好適なバージョンに関する情報を保持する。ここで好適なバージョンとは、品質が良好なバージョン、例えば、既知の不具合が解消されているバージョンである。図４は、バージョン検証情報の一例を示す図である。図４に示すように、バージョン検証情報は、ユニットＩＤ毎に、利用可能ハードウェアバージョン番号と、最小ソフトウェアバージョン番号と、依存情報との組み合わせを複数保持できるように構成されている。
【００３５】
利用可能ハードウェアバージョン番号は、ユニット４０４のハードウェアの好適なバージョン番号である。例えば、ユニットＩＤに「ＣＡＭ−０１」が設定され、利用可能ハードウェアバージョン番号に「１」が設定されているデータがバージョン検証情報に存在する場合、そのデータは、「ＣＡＭ−０１」で識別されるユニット４０４のハードウェアのバージョン番号が「１」であれば、ハードウェアの観点からみて、そのユニット４０４を利用して構わないことを意味する。
【００３６】
最小ソフトウェアバージョン番号は、ハードウェアのバージョンが対応する利用可能ハードウェアバージョン番号のものであるときに搭載されているべき最も古いバージョンのソフトウェアの番号である。例えば、ユニットＩＤに「ＣＡＭ−０１」が設定され、利用可能ハードウェアバージョン番号に「１」が設定され、最小ソフトウェアバージョン番号に「５」が設定されているデータがバージョン検証情報に存在する場合、そのデータは、「ＣＡＭ−０１」で識別されるユニット４０４のハードウェアのバージョン番号が「１」であれば、ユニット４０４に搭載されているソフトウェアのバージョンが「５」以上であるべきことを意味する。
【００３７】
依存情報は、他のユニット４０４に求められるバージョンに関する情報である。例えば、「ＣＡＭ−０１」で識別されるユニット４０４のハードウェアのバージョン番号が「１」である場合に「ＤＳＰ−０８」で識別されるユニット４０４のハードウェアのバージョン番号が「２」以上であるべきであれば、その旨の情報が依存情報としてバージョン検証情報に保持される。なお、ソフトウェアのバージョンの依存性に関する情報を依存情報としてバージョン検証情報に保持することもできる。
【００３８】
バージョン検証情報は、例えば、通行券に磁気的に記録され、通行券読書ユニット４０４ｃによって読み出されることとしてもよい。また、バージョン検証情報は、符号化されて通行券に印刷され、通行券読書ユニット４０４ｃによって読み出されることとしてもよい。また、バージョン検証情報は、ＩＣカードに記録され、ＩＣカード読書ユニット４０４ｄによって読み出されることとしてもよい。
【００３９】
このように、バージョン検証部４０３ｂは、媒体に記録されたバージョン検証情報を、料金装置４０が他の用途のために備えているユニット４０４に読み出させ、読み出されたバージョン検証情報を用いて、接続部４０１に接続されているユニット４０４のバージョンの整合性を検証する。このため、例えば、バージョンの不整合に起因する障害が料金装置４０に発生した場合に、対応する作業員が、どのユニット４０４に問題があるかを容易に特定することができる。また、特定のバージョンでの不具合に起因して障害が発生するおそれがあることが分かった場合に、料金装置４０にその特定のバージョンのユニット４０４が内蔵されているかを容易に調べることができる。また、ユニット４０４のバージョンの正当性を検証するためにハードウェアが付加されないため、料金装置４０のコストダウンと信頼性の向上に寄与する。
【００４０】
作業指示表示部４０３ｃは、料金装置４０に関して作業員が行う保守作業等の作業指示に関する情報を保守ユニット４０４ｈに表示させる。具体的には、作業指示表示部４０３ｃは、料金装置４０が他の用途のために備えているユニット４０４から作業指示に関する情報を読み出し、保守ユニット４０４ｈに表示させる。作業指示に関する情報には、作業指示に関する図や説明文が含まれる。
【００４１】
作業指示に関する情報は、例えば、通行券に磁気的に記録され、通行券読書ユニット４０４ｃによって読み出されることとしてもよい。また、作業指示に関する情報は、符号化されて通行券に印刷され、通行券読書ユニット４０４ｃによって読み出されることとしてもよい。また、作業指示に関する情報は、ＩＣカードに記録され、ＩＣカード読書ユニット４０４ｄによって読み出されることとしてもよい。
【００４２】
このように、作業指示表示部４０３ｃは、媒体に記録された保守作業等の作業指示に関する情報を、料金装置４０が他の用途のために備えているユニット４０４に読み出させ、読み出された情報を表示させる。このため、作業員が、料金装置４０の設置場所に出向いて保守作業等を行うに際して、紙に印刷された作業指示書や作業指示に関する情報が記録されたパソコン等を持ち運ばなくてよくなり、負荷が軽減される。
【００４３】
次に、図２に示した料金装置４０の動作について説明する。図５は、バージョン情報出力部４０３ａの動作を示すフローチャートである。なお、ここでは、通行券読書ユニット４０４ｃは、磁気カードの通行券を読み書きする装置であるものとする。
【００４４】
図５に示すように、バージョン情報出力部４０３ａは、バージョン情報の出力を指示されると、まず、記憶部４０２からバージョン情報４０２ａを読み出す（ステップＳ１０１）。そして、バージョン情報出力部４０３ａは、出力先の媒体が何であるかを判定する（ステップＳ１０２）。なお、出力先の媒体は、予め設定された設定値に基づいて判定してもよいし、作業員の指定に基づいて判定してもよい。
【００４５】
出力先の媒体が紙の場合（ステップＳ１０３，Ｙｅｓ）、バージョン情報出力部４０３ａは、バージョン情報を出力する形式を判定する（ステップＳ１０４）。なお、バージョン情報を出力する形式は、予め設定された設定値に基づいて判定してもよいし、作業員の指定に基づいて判定してもよい。
【００４６】
バージョン情報を出力する形式がバーコードの場合（ステップＳ１０５，Ｙｅｓ）、バージョン情報出力部４０３ａは、バージョン情報を符号化し、符号化したバーコードが印刷された領収書を領収書発行ユニット４０４ｅに発行させる（ステップＳ１０６）。なお、通行券読書ユニット４０４ｃが、バーコードが印刷された通行券を発行する装置の場合、符号化したバーコードが印刷された通行券を通行券読書ユニット４０４ｃに発行させてもよい。
【００４７】
バージョン情報を出力する形式がバーコードでない場合（ステップＳ１０５，Ｎｏ）、バージョン情報出力部４０３ａは、バージョン情報をテキスト化し、テキスト化したバーコードが印刷された領収書を領収書発行ユニット４０４ｅに発行させる（ステップＳ１０７）。
【００４８】
また、出力先の媒体が紙でなくＩＣカードの場合（ステップＳ１０３，Ｎｏ、ステップＳ１０８，Ｙｅｓ）、バージョン情報出力部４０３ａは、ＩＣカード読書ユニット４０４ｄに、バージョン情報をＩＣカードへ書き出させる（ステップＳ１０９）。
【００４９】
また、出力先の媒体が紙でもＩＣカードでもない場合、すなわち、出力先の媒体が磁気カードの場合（ステップＳ１０３，Ｎｏ、ステップＳ１０８，Ｎｏ）、バージョン情報出力部４０３ａは、通行券読書ユニット４０４ｃに、バージョン情報を記録した磁気カードを発行させる（ステップＳ１１０）。
【００５０】
図６は、バージョン検証部４０３ｂの動作を示すフローチャートである。図６に示すように、バージョン検証部４０３ｂは、バージョン情報の検証を指示されると、まず、所定のユニット４０４に、媒体から図４に示したようなバージョン検証情報を読み出させる（ステップＳ２０１）。そして、バージョン検証部４０３ｂは、記憶部４０２からバージョン情報４０２ａを読み出す（ステップＳ２０２）。
【００５１】
続いて、バージョン検証部４０３ｂは、バージョン情報４０２ａの内容をバージョン検証情報と照合する（ステップＳ２０３）。そして、バージョンが整合していれば（ステップＳ２０４，Ｙｅｓ）、バージョン検証部４０３ｂは、正常である旨を保守ユニット４０４ｈに表示させる（ステップＳ２０５）。一方、バージョンが整合していなければ（ステップＳ２０４，Ｎｏ）、バージョン検証部４０３ｂは、不整合になっているユニット４０４の情報を保守ユニット４０４ｈに表示させる（ステップＳ２０６）。
【００５２】
図７は、作業指示表示部４０３ｃの動作を示すフローチャートである。図７に示すように、作業指示表示部４０３ｃは、作業指示の表示を指示されると、所定のユニット４０４に、作業指示に関する情報を読み出させる（ステップＳ３０１）。そして、バージョン検証部４０３ｂは、読み出された情報を保守ユニット４０４ｈに表示させる（ステップＳ３０２）。
【００５３】
上述してきたように、料金装置４０は、通行券、領収書、ＩＣカード等の料金の精算に係る媒体の読み書きをすることにより、料金装置４０が内蔵するユニット４０４に関する作業員の作業負荷を軽減させることができる。
【００５４】
なお、上記の実施例で示した構成は、本発明の要旨を逸脱しない範囲で適宜変更することができる。例えば、制御部４０３に表示部を設け、保守に関する情報を制御部４０３に設けられた表示部に表示してもよい。また、保守に関する情報を表示ユニット４０４ｂに表示してもよい。
【００５５】
また、上記の実施例では、他の装置とネットワーク接続されていない装置に本発明を適用する例を示したたが、他の装置とネットワーク接続されている装置に本発明を適用してもよい。
【００５６】
また、上記の実施例では、本発明を適用する装置の例として、料金所に設けられた料金装置について説明したが、本発明は、ユニットを装着可能なその他の料金装置にも適用することができる。例えば、本発明は、駐車場の駐車料金を精算するための料金装置や、鉄道等の交通機関の運賃を精算するための料金装置にも適用することができる。
【符号の説明】
【００５７】
１  料金所管理システム
２  料金所
３  ネットワーク
１０ａ〜１０ｎ、４０  料金装置
２０  監視装置
３０  中央監視装置
４０１  接続部
４０２  記憶部
４０２ａ  バージョン情報
４０３  制御部
４０３ａ  バージョン情報出力部
４０３ｂ  バージョン検証部
４０３ｃ  作業指示表示部
４０４ａ  カメラユニット
４０４ｂ  表示ユニット
４０４ｃ  通行券読書ユニット
４０４ｄ  ＩＣカード読書ユニット
４０４ｅ  領収書発行ユニット
４０４ｆ  紙幣処理ユニット
４０４ｇ  硬貨処理ユニット
４０４ｈ  保守ユニット
【図１】
0005675399.tif 000002
【図２】
0005675399.tif 000003
【図３】
0005675399.tif 000004
【図４】
0005675399.tif 000005
【図５】
0005675399.tif 000006
【図６】
0005675399.tif 000007
【図７】
0005675399.tif 000008